(57)【要約】【課題】美観を損なうことなく、かつ発電量を確保可能な太陽電池付き時計１を提供する。【解決手段】光透過性の高い領域ａと、領域ａよりも光透過性の低い領域ｃとを含む文字板１４と、文字板１４を透過した光が入射することにより発電する発電領域Ｅを少なくとも含む太陽電池３０と、を有し、領域ｃは、平面視において、少なくとも太陽電池３０のうち発電に寄与しない非発電領域Ｎ又は太陽電池３０が設けられていない非配置領域Ｍに重なるように設けられており、領域ａは、平面視において、少なくとも発電領域Ｅと重なるように設けられる、太陽電池付き時計１。【選択図】図３
2020016573.tif 000002
【特許請求の範囲】
【請求項１】
光透過性の高い高透過領域と、前記高透過領域よりも光透過性の低い低透過領域とを含む文字板と、
前記文字板を透過した光が入射することにより発電する発電領域を少なくとも含む太陽電池と、
を有し、
前記低透過領域は、平面視において、少なくとも前記太陽電池のうち発電に寄与しない非発電領域又は前記太陽電池が設けられていない非配置領域に重なるように設けられており、
前記高透過領域は、平面視において、少なくとも前記発電領域と重なるように設けられる、
太陽電池付き時計。
【請求項２】
前記文字板のうち前記高透過領域及び前記低透過領域における下面は、前記文字板の上面側に窪む谷条部と、前記谷条部に隣接して前記下面側に突出する山条部とからなる凹凸を含み、
少なくとも前記谷条部の底部の断面形状は丸みを帯びた形状であり、
前記高透過領域における前記底部の断面形状の方が、前記低透過領域における前記底部の断面形状よりも大きく丸みを帯びた形状である、
請求項１に記載の太陽電池付き時計。
【請求項３】
前記山条部の頂部の断面形状は丸みを帯びた形状であり、
記高透過領域における前記頂部の断面形状の方が、前記低透過領域における前記頂部の断面形状よりも大きく丸みを帯びた形状である、
請求項２に記載の太陽電池付き時計。
【請求項４】
前記谷条部の底部の曲率半径は、前記山条部の頂部の曲率半径よりも大きい、
請求項２又は３に記載の太陽電池付き時計。
【請求項５】
前記文字板は、前記高透過領域よりも光透過性が低く、前記低透過領域よりも光透過性が高い中透過領域を有しており、
前記中透過領域は、前記高透過領域と前記低透過領域との間に設けられる、
請求項１〜４のいずれか１項に記載の太陽電池付き時計。
【請求項６】
前記中透過領域において、前記低透過領域側から前記高透過領域側に向かうに従い、段階的又は連続的に光透過性が高くなっている、
請求項５に記載の太陽電池付き時計。
【請求項７】
前記文字板のうち前記高透過領域及び前記低透過領域における下面は、前記文字板の上面側に窪む谷条部と、前記谷条部に隣接して前記下面側に突出する山条部とからなる凹凸を含み、
少なくとも前記高透過領域において、少なくとも前記谷条部の底部の形状は平面である、
請求項１に記載の太陽電池付き時計。
【請求項８】
前記文字板は、前記高透過領域よりも光透過性が低く、前記低透過領域よりも光透過性が高い中透過領域を有しており、
前記中透過領域は、前記高透過領域と前記低透過領域との間に設けられ、底部の形状が平面である前記谷条部を少なくとも含み、
前記中透過領域において、前記低透過領域側から前記高透過領域に向かうに従い、段階的に前記谷条部の底部の平面の面積は大きくなっている、
請求項７に記載の太陽電池付き時計。
【請求項９】
前記文字板のうち前記高透過領域及び前記低透過領域における下面は、前記文字板の上面側に窪む谷条部と、前記谷条部に隣接して前記下面側に突出する山条部とからなる凹凸を含み、
前記高透過領域における前記谷条部の底部の断面形状、又は前記山条部の頂部の断面形状の少なくともいずれか一方は丸みを帯びた形状であり、
前記低透過領域における前記谷条部の底部の断面形状、又は前記山条部の頂部の断面形状の少なくともいずれか一方は角形である、
請求項１に記載の太陽電池付き時計。
【請求項１０】
前記文字板の下面のうち前記高透過領域と前記低透過領域の少なくともいずれか一方に塗料が塗布されている、
請求項１〜９のいずれか１項に記載の太陽電池付き時計。
【請求項１１】
前記高透過領域は、断面形状がサインカーブを構成する面を含む、
請求項１又は２に記載の太陽電池付き時計。
【請求項１２】
前記谷条部及び前記山条部は、前記下面に同心円状又は渦巻き状に形成される、
請求項２〜４のいずれか１項に記載の太陽電池付き時計。
【請求項１３】
前記文字板は、ポリカーボネート樹脂又はアクリル樹脂からなる、
請求項１〜１２のいずれか１項に記載の太陽電池付き時計。
【発明の詳細な説明】
【技術分野】
【０００１】
本発明は、太陽電池付き時計に関する。
【背景技術】
【０００２】
太陽電池付き時計においては、太陽電池に光を入射させるため、光透過性を有する文字板が用いられている。太陽電池は独特の濃紫色を有しており、文字板から太陽電池が透けて見えると美観を損なう可能性がある。そこで、例えば、特許文献１に開示される文字板においては、断面形状が略直角である山条部と谷条部とからなる凹凸を下面に形成することにより、光を分散、拡散させて太陽電池の色調を消す工夫を施している。
【先行技術文献】
【特許文献】
【０００３】
【特許文献１】特開２０１１−１７４９４８号公報
【発明の概要】
【発明が解決しようとする課題】
【０００４】
特許文献１に開示されるように、文字板の下面に凹凸を形成した場合、文字板における光の反射率が高くなり、文字板の下側に設けられる時計の内部構造の視認性を下げることができる一方で、光の透過率が低くなることにより、太陽電池における発電量が低下してしまう可能性がある。
【０００５】
本発明は上記課題に鑑みてなされたものであって、その目的は、美観を損なうことなく、かつ発電量を確保可能な太陽電池付き時計を提供することにある。
【課題を解決するための手段】
【０００６】
上記課題を解決すべく本出願において開示される発明は種々の側面を有しており、それら側面の代表的なものの概要は以下の通りである。
【０００７】
（１）光透過性の高い高透過領域と、前記高透過領域よりも光透過性の低い低透過領域とを含む文字板と、前記文字板を透過した光が入射することにより発電する発電領域を少なくとも含む太陽電池と、を有し、前記低透過領域は、平面視において、少なくとも前記太陽電池のうち発電に寄与しない非発電領域又は前記太陽電池が設けられていない非配置領域に重なるように設けられており、前記高透過領域は、平面視において、少なくとも前記発電領域と重なるように設けられる、太陽電池付き時計。
【０００８】
（２）（１）において、前記文字板のうち前記高透過領域及び前記低透過領域における下面は、前記文字板の上面側に窪む谷条部と、前記谷条部に隣接して前記下面側に突出する山条部とからなる凹凸を含み、少なくとも前記谷条部の底部の断面形状は丸みを帯びた形状であり、前記高透過領域における前記底部の断面形状の方が、前記低透過領域における前記底部の断面形状よりも大きく丸みを帯びた形状である、太陽電池付き時計。
【０００９】
（３）（２）において、前記山条部の頂部の断面形状は丸みを帯びた形状であり、記高透過領域における前記頂部の断面形状の方が、前記低透過領域における前記頂部の断面形状よりも大きく丸みを帯びた形状である、太陽電池付き時計。
【００１０】
（４）（２）又は（３）において、前記谷条部の底部の曲率半径は、前記山条部の頂部の曲率半径よりも大きい、太陽電池付き時計。
【００１１】
（５）（１）〜（４）のいずれかにおいて、前記文字板は、前記高透過領域よりも光透過性が低く、前記低透過領域よりも光透過性が高い中透過領域を有しており、前記中透過領域は、前記高透過領域と前記低透過領域との間に設けられる、太陽電池付き時計。
【００１２】
（６）（５）において、前記中透過領域において、前記低透過領域側から前記高透過領域側に向かうに従い、段階的又は連続的に光透過性が高くなっている、太陽電池付き時計。
【００１３】
（７）（１）において、前記文字板のうち前記高透過領域及び前記低透過領域における下面は、前記文字板の上面側に窪む谷条部と、前記谷条部に隣接して前記下面側に突出する山条部とからなる凹凸を含み、少なくとも前記高透過領域において、少なくとも前記谷条部の底部の形状は平面である、太陽電池付き時計。
【００１４】
（８）（７）において、前記文字板は、前記高透過領域よりも光透過性が低く、前記低透過領域よりも光透過性が高い中透過領域を有しており、前記中透過領域は、前記高透過領域と前記低透過領域との間に設けられ、底部の形状が平面である前記谷条部を少なくとも含み、前記中透過領域において、前記低透過領域側から前記高透過領域に向かうに従い、段階的に前記谷条部の底部の平面の面積は大きくなっている、太陽電池付き時計。
【００１５】
（９）（１）において、前記文字板のうち前記高透過領域及び前記低透過領域における下面は、前記文字板の上面側に窪む谷条部と、前記谷条部に隣接して前記下面側に突出する山条部とからなる凹凸を含み、前記高透過領域における前記谷条部の底部の断面形状、又は前記山条部の頂部の断面形状の少なくともいずれか一方は丸みを帯びた形状であり、前記低透過領域における前記谷条部の底部の断面形状、又は前記山条部の頂部の断面形状の少なくともいずれか一方は角形である、太陽電池付き時計。
【００１６】
（１０）（１）〜（９）のいずれかにおいて、前記文字板の下面のうち前記高透過領域と前記低透過領域の少なくともいずれか一方に塗料が塗布されている、太陽電池付き時計。
【００１７】
（１１）（１）又は（２）において、前記高透過領域は、断面形状がサインカーブを構成する面を含む、太陽電池付き時計。
【００１８】
（１２）（２）〜（４）のいずれかにおいて、前記谷条部及び前記山条部は、前記下面に同心円状又は渦巻き状に形成される、太陽電池付き時計。
【００１９】
（１３）（１）〜（１２）のいずれかにおいて、前記文字板は、ポリカーボネート樹脂又はアクリル樹脂からなる、太陽電池付き時計。
【発明の効果】
【００２０】
上記本発明の（１）〜（１３）の側面によれば、美観を損なうことなく、かつ発電量を確保可能な太陽電池付き時計を提供することができる。
【図面の簡単な説明】
【００２１】
【図１】本実施形態に係る電子時計を示す平面図である。
【図２】図１のＡ−Ａ切断線における断面図である。
【図３】本実施形態の文字板及び太陽電池の概要を示す断面図である。
【図４】本実施形態の文字板を下面側から見た平面図である。
【図５】本実施形態の文字板に形成される凹凸の谷条部における光の透過について説明する模式図である。
【図６】本実施形態における太陽電池を示す平面図である。
【図７】本実施形態における文字板を模式的に示す平面図である。
【図８】図７のＢ−Ｂ切断線における断面図と、透過率及び反射率の関係について示す図である。
【図９】本実施形態の第１変形例の文字板及び太陽電池の概要を示す断面図である。
【図１０】本実施形態の第２変形例の文字板及び太陽電池の概要を示す断面図である。
【発明を実施するための形態】
【００２２】
以下、本発明の実施形態（以下、本実施形態という）について図面に基づき詳細に説明する。
【００２３】
図１は、本実施形態に係る太陽電池付き時計を示す平面図である。図２は、図１のＡ−Ａ切断線における断面図である。なお、図２においては、後述の竜頭１３の図示は省略しており、また、指針の配置を分かりやすくするため、分針１６が９時の方向を向いており、時針１５及び秒針１７が３時の方向を向いている状態を示している。
【００２４】
図１には、太陽電池付き時計１の外装（時計ケース）である胴１０、胴１０内に配置された文字板１４、時刻を示す指針である時針１５、分針１６、秒針１７が示されている。また、文字板１４には所定の位置に時字４９が設けられている。また、胴１０の１２時側及び６時側の側面からは、バンドを固定するためのバンド固定部１１が伸びている。また、胴１０の３時側の側面にはユーザが種々の操作を行うためのボタン１２、竜頭１３が配置されている。
【００２５】
なお、図１に示した時計のデザインは一例である。ここで示したもの以外にも、例えば、胴１０を丸型でなく角型にしてもよいし、ボタン１２や竜頭１３の有無、数、配置は任意である。また、本実施形態では、指針を時針１５、分針１６、秒針１７の３本としているが、これに限定されず、秒針１７を省略してもよいし、あるいは、曜日、タイムゾーンやサマータイムの有無、電波の受信状態や電池の残量、各種の表示を行う指針や、日付表示等を追加したりしてもよい。
【００２６】
なお、本明細書では、太陽電池付き時計１として、ＧＰＳ（Global Positioning System）衛星などの日付や時刻に関する情報を含む衛星信号を送信する衛星から当該衛星信号を受信し、それに含まれる日付や時刻に関する情報に基づき、時計内部に保持される内部時刻を修正する機能を有している衛星電波腕時計を示す。ただし、これに限られるものではなく、一般的な標準電波を受信して内部時刻を修正する電波時計であってもよいし、こうした時刻修正機能を備えない時計であってもよい。
【００２７】
図２に示すように、太陽電池付き時計１は、文字板１４を覆うようにガラス等の透明材料により形成された風防３２を有し、風防３２は胴１０に取り付けられている。また、風防３２の反対側においては裏蓋３６が胴１０に取り付けられている。本明細書では、以降、時計の風防３２が配置される側（図１における紙面手前側）を上側、裏蓋３６が配置される側（図１における紙面奥側）を下側と呼ぶ。
【００２８】
文字板１４の下側には、太陽電池３０が配置されており、文字板１４を透過して上側から太陽電池３０に入射される光により発電がなされる。そのため、文字板１４はある程度光線を透過する材質で形成される。例えば、文字板１４はポリカーボネート樹脂やアクリル樹脂からなるとよい。また、それら樹脂に限らず、透明な樹脂であれば良く、例えば、フッ化樹脂やエチレン系樹脂等を使用しても良い。
【００２９】
本実施形態においては、図１の破線で示すように、太陽電池３０は概略円形をなし、１０時方向から２時方向が扇状に切り欠かれている。そして、文字板１４の下側において、この切り欠かれた部分（太陽電池３０が存在しない領域）に衛星信号を受信するためのパッチアンテナ２０が配置されている。このように、パッチアンテナ２０を、平面視において太陽電池３０と重ならないように配置することにより、太陽電池３０に含まれる電極によるパッチアンテナ２０の受信感度への影響を抑制することができる。
【００３０】
図２に示すように、太陽電池付き時計１は、さらに、文字板１４と太陽電池３０の間に設けられる半透過反射板４７、太陽電池３０の下側に設けられるムーブメント３８を有する。ムーブメント３８は、指針を駆動するための輪列とモータ、時刻を計時する水晶振動子を含む時計回路、太陽電池付き時計１全体を制御するコントローラ等を地板と呼ばれる枠に一体に組み付けたものである。ムーブメント３８は、ムーブメント３８に取り付けられた蓄電池から電力を得て動作する。蓄電池は、ムーブメント３８に電力を供給すると同時に、太陽電池３０により発電された電力を蓄積するものであり、例えば、ボタン型のリチウム二次電池である。
【００３１】
本実施形態においては、太陽電池３０は、ムーブメント３８に一体的に設けられている。また、ムーブメント３８には指針軸が文字板１４の上面から突出するように設けられており、その先端に秒針１７、分針１６、時針１５が取り付けられている。そして、それらを覆うようにして風防３２が胴１０に固定されている。
【００３２】
次に、図３、図４を参照して、本実施形態の文字板１４の構成について説明する。図３は、本実施形態の文字板及び太陽電池の概要を示す断面図である。図４は、本実施形態の文字板を下面側から見た平面図である。
【００３３】
なお、文字板１４と太陽電池３０との間には、図２で示したように、入射光を適度に透過、反射させるために半透過性反射板４７が設けられるとよいが、必須の構成ではないため、図３においては、半透過性反射版４７の図示は省略する。また、図３においては、図が複雑になるのを避けるためハッチングを省略する。また、図３に示すように、文字板１４の下面と太陽電池３０との間の空間は空気層２４となっている。文字板１４と空気層２４とでは屈折率が異なるため、文字板１４の下面と空気層２４との界面において、光は屈折又は反射することとなる。
【００３４】
以下の説明において、図３に示すように、文字板１４のうち、平面視において太陽電池３０と重ならない領域を領域ｃ、平面視において太陽電池３０と重なる領域のうち領域ｃと隣接しない領域を領域ａ、平面視において太陽電池３０と重なる領域のうち領域ｃに隣接する領域を領域ｂと呼ぶこととする。本実施形態においては、領域ａを光透過性の高い高透過領域とし、領域ｃを領域ａよりも光透過性が低い低透過領域とし、領域ｂを領域ａよりも光透過性が低く、領域ｃよりは光透過性が高い中透過領域とした。
【００３５】
本実施形態においては、文字板１４のうち領域ａにおける下面には、上側に窪んだ谷条部１４１と、谷条部１４１に隣接して下側に突出した山条部１４２とからなる凹凸が形成されている。このように文字板１４の下面に凹凸を形成する理由は、文字板１４の下面と空気層２４との界面において光を反射させることにより外部から見て太陽電池３０等の文字板１４の下側に設けられる内部構造を目立たないようにするためである。凹凸の高さやピッチは数十μｍ〜百数十μｍ程度であるとよい。なお、本実施形態においては、文字板１４の下面のうち、最も窪んだ箇所を底部と呼び、最も出っ張った箇所を頂部と呼ぶこととする。
【００３６】
なお、本実施形態においては、谷条部１４１は、文字板１４の厚み方向における底部１４１ａと頂部１４２ａとの中間よりも上側の部分であり、山条部１４２は、文字板１４の厚み方向における底部１４１ａと頂部１４２ａとの中間よりも下側の部分であると定義する。すなわち、本実施形態においては、文字板１４の厚み方向における、谷条部１４１の深さと山条部１４２の高さは等しい。後述の領域ｂ、領域ｃの谷条部、山条部についても同様とする。
【００３７】
また、本実施形態においては、文字板１４のうち領域ｃにおける下面には、上側に窪んだ谷条部１４３と、谷条部１４３に隣接して下側に突出した山条部１４４とからなる凹凸が形成されている。
【００３８】
また、本実施形態においては、文字板１４のうち領域ｂにおける下面には、上側に窪んだ谷条部１４７と、谷条部１４７に隣接して下側に突出した山条部１４８とからなる凹凸が形成されている。
【００３９】
また、本実施形態においては、図３に示すように、領域ａ〜ｃ毎に、断面視における谷条部の底部及び山条部の頂部の形状が異なるように凹凸を形成した。凹凸の形状の違いによる光透過性の差異についての詳細については、図５等を参照して後述する。
【００４０】
凹凸は、文字板１４の下面に、図４（ａ）に示すように同心円状に形成されてもよいし、図４（ｂ）に示すように渦巻き状に形成されてもよい。なお、図４（ａ）、図４（ｂ）においては、実線が山条部の頂部を示しており、実線の間の部分が谷条部の底部を示している。ただし、図４（ａ）、図４（ｂ）に示す凹凸の形状は一例であり、例えばストライプ状や放射状に形成されてもよいし、また、一様な模様に限られるものでもなく、装飾的な模様が形成されるものであってもよい。
【００４１】
さらに、図５を参照して、文字板１４に形成される凹凸における光の透過の詳細について説明する。図５は、本実施形態の文字板に形成される凹凸の谷条部における光の透過について説明する図である。
【００４２】
図５の一点鎖線は、断面形状が角形に形成される谷条部１４３の底部１４３ａを示す。また、図５の破線矢印は、角形に形成される谷条部１４３の底部１４３ａに入射された光の光路を示しており、文字板１４の下面と空気層２４との界面に入射される入射光ｌ１と、その界面における透過光（屈折光）ｌ２、反射光ｌ３を示している。また、図５の実線矢印は、断面形状が丸みを帯びた谷条部１４１の底部１４１ａに入射される光の光路を示しており、文字板１４の下面と空気層２４との界面に入射される入射光Ｌ１と、その界面における透過光（屈折光）Ｌ２を示している。
【００４３】
ここで、光の反射率は、入射角に依存することが知られている（フレネルの式）。具体的には、界面に入射される光の入射角が大きい程、反射率が大きくなり、入射角が小さい程、反射率が小さくなることが知られている。言い換えると、界面に入射される光の入射角が大きい程、透過率が小さくなり、入射角が小さい程、透過率が大きくなることが知られている。すなわち、界面に垂直に入射される光（入射角０度）の透過率が最も高い。なお、ここで、反射率とは、屈折率が異なる物質間の界面に入射される光束に対する反射される光束の割合である。また、透過率とは、異なる物質間の界面に入射される光束に対する透過される光束の割合である。
【００４４】
図５においては、説明を簡易にするため、文字板１４の上面１４５に対して垂直（９０度）に入射される光が、谷条部の底部における文字板と空気層との界面において反射、透過する例について示している。なお、本実施形態においては、文字板１４の上面１４５を平面とした。
【００４５】
ここで、谷条部１４３の底部１４３ａの断面形状は角形となっており、上面１４５に対して所定の角度で傾斜する斜面が形成される構成となっている。文字板１４の上面１４５に対して垂直に入射される光ｌ１は、底部１４３ａを形成する斜面に対して、所定の入射角で入射し、その一部が反射される。
【００４６】
一方、丸みを帯びた谷条部１４１の底部１４１ａの断面形状は、角形の底部１４３ａの構成と比較して、文字板１４の上面に対する傾斜が小さくなっている。そのため、谷条部１４１の底部１４１ａと空気層２４との界面に入射される光の入射角が小さくなっている。したがって、断面形状が丸みを帯びた谷条部１４１の底部１４１ａと空気層２４との界面における光の反射率は小さく、透過率が大きい。そのため、文字板１４の下側に配置される太陽電池３０まで届く光の量が、断面形状が角形の底部１４３ａに比較して多く、太陽電池３０における発電量が多い。
【００４７】
上記のように、谷条部１４１の底部１４１ａを、丸みを帯びた形状にすることにより、光の透過率を向上させ、太陽電池３０における発電量を向上することができるのと同様に、山条部１４２の頂部１４２ａを、丸みを帯びた形状にすることにより、光の透過率を向上させ、太陽電池３０における発電量を多くすることができる。なお、底部１４１ａと頂部１４２ａを同じ曲率半径で丸みを帯びさせた場合、底部１４１ａに丸みを帯びさせたことによる透過率の向上の方が、頂部１４２ａに丸みを帯びさせたことによる透過率の向上よりも大きい。これは、底部１４１ａにおいては入射される全ての光に対して透過率の向上が見込まれる一方で、頂部１４２ａにおいては、文字板１４の外部から頂部１４２ａへ入射される光に対しては丸みを帯びさせたことによる透過率の向上が見込めないためである。したがって、透過率を向上させるためには、底部の曲率半径を、頂部の曲率半径よりも大きくするのが好ましい。
【００４８】
次に、図６〜図８を参照して、太陽電池３０の構成と、文字板１４の構成について説明する。図６は、本実施形態における太陽電池を示す平面図である。図７は、本実施形態における文字板を模式的に示す平面図である。なお、図７においては、凹凸の図示は省略している。図８は、図７のＢ−Ｂ切断線における断面図と、透過率及び反射率の関係について示す図である。
【００４９】
図６に示すように、太陽電池３０は、１０時方向から２時方向を扇状に切り欠いた形状を有する基板３０ｂを備えている。図６に示す例では、切り欠き部３０ｃのなす角度は１２０°である。上述したように、切り欠き部３０ｃの内側領域（太陽電池３０が存在しない領域。以降、非配置領域Ｍと呼ぶ。）には、受信面が風防３２側を向くようにしてパッチアンテナ２０が配置される。切り欠き部３０ｃのなす角度は、パッチアンテナ２０が収容できる角度であればどのようなものであっても構わない。
【００５０】
なお、本実施形態においては、太陽電池３０が存在しない領域を非配置領域Ｍと呼ぶのに対して、太陽電池３０が存在して発電が行われる領域を発電領域Ｅ、太陽電池３０が存在して発電が行われない領域を非発電領域Ｎと呼ぶこととする。
【００５１】
基板３０ｂの周縁には互いに離間した位置に複数の係合部（凹凸形状）が設けられており、これら係合部が胴１０自体或いは胴１０の内部に収容される図示しない枠体であるソーラーセル支持枠に係合している。これにより、基板３０ｂは太陽電池付き時計１内で回動不能に支持される。さらに、太陽電池３０の中央には指針軸を挿通するための開口が形成されており、表面には半導体薄膜及び電極を備えた発電単位であるセル３０ａが複数形成されている。セル３０ａが設けられる領域が、上述の発電領域Ｅに対応する。また、開口が形成される領域、及びセル３０ａを分割する分割線が形成される領域が、上述の非発電領域Ｎに対応する。以下、開口が形成される領域を非発電領域Ｎ１、分割線が形成される領域を非発電領域Ｎ２と呼ぶこととする。
【００５２】
本実施形態においては、平面視において発電領域Ｅと重なる領域と非配置領域Ｍに重なる領域とで、文字板１４の下面に異なる形状の凹凸を形成した。すなわち、文字板１４のうち、平面視において発電領域Ｅと重なる領域ａにおいては透過率が高くなるような凹凸を形成し、非配置領域Ｍに重なる領域ｃにおいては透過率が低くなるように凹凸を形成した。さらに、発電領域Ｅと重なる領域のうち非配置領域Ｍと近接する領域に重なる領域ｂにおいては、領域ａよりは透過率が低く、領域ｃよりは透過率が高くなるように凹凸を形成した。
【００５３】
図８の上段に図示するように、文字板１４における光の透過率と反射率とは、一方が高くなれば他方が低くなり、一方が低くなれば他方が高くなるような関係にある。すなわち、透過率が高いほど反射率は低くなり、文字板１４を透過する光の量は多く、太陽電池３０における発電量が多くなる。一方、透過率が低いほど反射率は高くなり、文字板１４を透過する光の量は少なく、太陽電池３０における発電量は少なくなる。
【００５４】
本実施形態においては、平面視において、発電領域Ｅと重なる領域ａにおける文字板１４の光透過率が高くなるよう、文字板１４の下面に凹凸を形成した。具体的には、図３で示したように、底部１４１ａと頂部１４２ａの断面形状が丸みを帯びた形状となるように凹凸を形成した。このような構成とすることにより、文字板１４を透過する光の量が増加し、太陽電池３０における発電量を維持、向上することができる。なお、本出願の発明者の知見によると、凹凸の断面形状がサインカーブを構成すると光透過率が高くなる。そのため、図３に示すように、本実施形態においては、領域ａにおける文字板１４の下面の凹凸の断面形状を、サインカーブを描く形状とした。
【００５５】
なお、図３においては、文字板１４の下面のうち領域ａにおいて、文字板１４の厚み方向に直交（交差）する方向における、谷条部１４１の幅と山条部１４２の幅とを同じとしたが、これに限られるものではなく、文字板１４の厚み方向に直交する方向における、谷条部１４１の幅を山条部の幅よりも大きくしてもよい。
【００５６】
一方、平面視において、非配置領域Ｍと重なる領域ｃにおける文字板１４の透過率が低くなるように、文字板１４の下面に凹凸を形成した。具体的には、図３で示したように、底部１４３ａと頂部１４４ａの断面形状が角形となるように凹凸を形成した。領域ｃにおいては、文字板１４の下側に太陽電池３０が配置されていないため、領域ｃを透過した光は発電に寄与しないためである。また、透過率が高いと、その分、時計内部で反射して、文字板１４を介して外部に出てくる光量が多くなる。それにより、文字板１４を介して時計の内部構造が外部から視認されることとなり、美観上の観点から好ましくないためである。
【００５７】
また、領域ｂにおいては、底部１４７ａと頂部１４８ａの断面形状が、領域ａの底部１４１ａと頂部１４２ａよりも曲率半径の小さい丸みを帯びた形状となるように凹凸を形成した。また、領域ｂにおいては、領域ｃ側から領域ａ側へ向かうに従い、光透過性が段階的又は連続的に高くなるように、凹凸を形成した。具体的には、図３に示すように、領域ｂのうち領域ｃ側よりも領域ａ側の方が、底部１４７ａ及び頂部１４８ａの断面形状が曲率半径の大きい丸みを帯びた形状となるように凹凸を形成した。このような構成にすることにより、太陽電池３０が配置される領域と配置されない領域との境目が外部から分かりづらくなり、美観が損なわれることが抑制される。
【００５８】
なお、本実施形態においては、文字板１４のうち非配置領域Ｍと重なる領域ｃにおける文字板１４の透過率が低くなるように、文字板１４の下面に凹凸を形成したが、これに限られるものではなく、太陽電池３０の開口が形成される非発電領域Ｎ１や分割線が形成される非発電領域Ｎ２と重なる領域においても、透過率が低くなるように文字板１４の下面に凹凸を形成してもよい。これにより、太陽電池３０の開口や分割線と重なる領域における反射率が高くなり、開口や分割線が外部から視認しづらくなり、美観が損なわれることが抑制される。
【００５９】
なお、太陽電池の形状は図６に示すような扇形の切り欠きが形成されるものに限られるものではない。例えば、中央部が切りかかれたリング形状（ドーナツ形状）の太陽電池であってもよいし、リング形状の一部が切りかかれたＣ字形状の太陽電池であってもよい。また、リング状と逆に、文字板の中央部付近にのみ設けられ、文字板の外周付近が非配置領域Ｍとなる太陽電池であってもよい。さらに、外形が円状のものに限られるものでもなく、角型の外形を有する太陽電池であっても構わない。いずれの形状の太陽電池を採用する場合であっても、文字板１４において、太陽電池の発電領域Ｅと重なる領域の光透過性を高くし、非発電領域Ｎや非配置領域Ｍと重なる領域の光透過性を低くするとよい。
【００６０】
図９は、本実施形態の第１変形例の文字板及び太陽電池の概要を示す断面図である。図３等においては、断面形状が丸みを帯びた凹凸を文字板１４の下面に形成する構成について示したが、これに限られるものではなく、例えば、図９に示す文字板１４０のように、発電領域Ｅと重なる領域ａにおける底部１４１ａの最も窪んだ箇所を上面１４５に対して平行な平面にしてもよい。同様に、頂部１４２ａの最も出っ張った箇所を上面１４５に対して平行な平面にしてもよい。底部１４１ａや頂部１４２ａの断面形状を上面１４５に対して傾斜しない面とすることにより、透過率が向上するためである。そして、発電に寄与しない非配置領域Ｍに重なる領域ｃにおいては、底部１４１ａと頂部１４２ａの断面形状を角形にするとよい。また、領域ａと領域ｃの間の領域ｂにおいては、領域ｃ側から領域ａ側へ向かうに従い、光透過性が段階的又は連続的に高くなるように、凹凸を形成した。具体的には、図９に示すように、領域ｂのうち領域ｃ側においては、底部１４７ａの断面形状を角形にし、頂部１４８ａの最も出っ張った箇所を上面１４５に対して平行な平面にした。また、領域ｂのうち領域ａ側においては、頂部１４８ａのうち最も出っ張った箇所を上面１４５に対して平行な面にするのに加えて、底部１４７ａの最も窪んだ箇所を上面１４５に対して平行な平面にした。このように領域ｂにおいて凹凸の形状を段階的に変化させることにより、発電領域Ｅにおいて発電量を確保しつつ、太陽電池３０が配置される領域と配置されない領域との境目が外部から分かりづらくなる。また、例えば、領域ｂにおいては、領域ｃ側から領域ａ側に向かうに従い、段階的に谷条部１４７の底部１４７ａの平面の面積と、山条部１４８の頂部１４８ａの平面の面積が大きくなるように凹凸を形成してもよい。
【００６１】
なお、底部と頂部のいずれの断面形状を角形にするか、丸みを帯びた形状にするか、又はどの程度丸みを帯びた形状にするかについては、適宜採用可能である。どこにどのような形状を採用するかに関わらず、少なくとも領域ａにおける光透過性が高く、領域ｃにおける光透過性が低くなるように、文字板１４０の下面に凹凸を形成するとよい。
【００６２】
図１０は、本実施形態の第２変形例の文字板及び太陽電池の概要を示す断面図である。図３、図９等で示した文字板においては、太陽電池３０のいずれの領域と重なる領域かによって凹凸の形状を異ならせる構成を採用したが、第２変形例においては、文字板２４０の下面に凹凸を形成し、その凹凸上に塗料５０を塗布することにより透過率を領域毎に異ならせる構成を採用する。
【００６３】
具体的には、第２変形例においては、領域ａ〜領域ｃのいずれにおいても同様に、断面形状が角形の凹凸を文字板２４０の下面に形成した。そして、平面視において発電領域Ｅと重なる領域ａの凹凸に塗料５０を塗布し、発電領域Ｅと重なる領域のうち発電領域Ｅと重ならない領域ｃと近接する領域ｂの凹凸に領域ａよりも薄く塗料５０を塗布した。また、発電領域Ｅと重ならない領域ｃにおいては、塗料５０を塗布しないことにした。
【００６４】
塗料５０を塗布した領域においては、塗料５０が空気層２４との界面を構成することとなり、当該界面は緩やかな傾斜を形成することとなる。また、例えば、塗料５０と文字板２４０の屈折率が略同等であって、かつ空気層２４の屈折率よりも大きい場合、光の反射、屈折は、文字板２４０と塗料５０との界面よりも、塗料５０と空気層２４との界面において支配的となる。したがって、塗料５０が塗布されることにより、緩やかな傾斜が形成された領域ａにおいては、光透過率が高くなる。
【００６５】
なお、文字板１４の下面のいずれの領域にも塗料５０を塗布し、塗布される塗料５０の量（膜厚）を領域毎に調整することにより、文字板１４における光透過性を調整してもよい。また、塗料５０の材質によっては、塗料５０を塗布した領域の方が、塗布しない領域よりも光透過性が低くなる場合もある。そのような塗料５０を塗布する場合は、領域ａにおいて塗布される塗料５０の量を少なくし、領域ｃにおいて塗布される塗料５０の量を多くするとよい。
【００６６】
また、文字板２４０の下面には必ずしも凹凸を形成する必要はなく、塗料５０を塗布することのみにより、各領域における透過性を異ならせることとしてもよい。いずれにしても、発電領域Ｅと重なる領域ａにおける光透過性が高く、発電領域Ｅと重ならない領域ｃにおける光透過性が低くなる構成であればよい。
【００６７】
以上、本発明に係る実施形態について説明したが、この実施形態に示した具体的な構成は一例として示したものであり、本発明の技術的範囲をこれに限定することは意図されていない。当業者は、これら開示された実施形態を適宜変形してもよく、本明細書にて開示される発明の技術的範囲は、そのようになされた変形をも含むものと理解すべきである。
【符号の説明】
【００６８】
１  太陽電池付き時計、１０  胴、１１  バンド固定部、１２  ボタン、１３  竜頭、１４，１４０，２４０  文字板、１４１，１４３，１４７  谷条部、１４１ａ，１４３ａ，１４７ａ  底部、１４２，１４４，１４８  山条部、１４２ａ，１４４ａ，１４８ａ  頂部、１４５  上面、１５  時針、１６  分針、１７  秒針、２０  パッチアンテナ、３０  太陽電池、３０ａ  セル、３２  風防、３６  裏蓋、３８  ムーブメント、４７  半透過反射板、４９  時字、５０  塗料。
【図１】
2020016573.tif 000003
【図２】
2020016573.tif 000004
【図３】
2020016573.tif 000005
【図４】
2020016573.tif 000006
【図５】
2020016573.tif 000007
【図６】
2020016573.tif 000008
【図７】
2020016573.tif 000009
【図８】
2020016573.tif 000010
【図９】
2020016573.tif 000011
【図１０】
2020016573.tif 000012